(57)【要約】【課題】  裁断端部を有する藺草織物を使用した敷物において、従来のような裁断端部を縁布で覆ったり、裁断端部を含む裁断側を折り返すような処理方法とは異なる新しい方法で裁断端部を処理することにより、裁断端部から藺草の繊維が解れたり、裁断端部表面の藺草の繊維が擦れることを防止することにある。【解決手段】藺草織物を使用した敷物Ａ１は、裁断端部４３１を有する藺草織物４３を使用した敷物である。少なくとも藺草織物４３の表面全体あるいは少なくとも上記裁断端部４３１の断面を含む藺草織物４３表面全体に、透視性を有する被覆フィルム４が被覆させてある。【選択図】図２
2007236916.tif 000002
【特許請求の範囲】
【請求項１】
裁断端部(431)を有する藺草織物(43)を使用した敷物であって、
少なくとも藺草織物(43)の表面全体あるいは少なくとも上記裁断端部(431)の断面を含む藺草織物(43)の表面全体に、透視性を有する被覆フィルム(4)が被覆させてある、
藺草織物を使用した敷物。
【請求項２】
裁断端部(431)を有する藺草織物(43)を使用した敷物であって、
シート体(1)と、
該シート体(1)の表面に複数隣接して並設された細長い板状の藺草敷物構成体(2)と、
を備え、
該藺草敷物構成体(2)は、板状基体(41)と、該板状基体(41)に積層してまたは該板状基体(41)を覆うようにして設けられた藺草織物(43)と、少なくとも藺草織物(43)の表面全体あるいは少なくとも上記裁断端部(431)の断面を含む藺草織物(43)の表面全体に被覆させてある透視性を有する被覆フィルム(4)と、を有している、
藺草織物を使用した敷物。
【請求項３】
裁断端部(431)を有する藺草織物(43)を使用した敷物であって、
シート体(1)と、
該シート体(1)の表面に複数隣接して並設された細長い板状の藺草敷物構成体(2)と、
を備え、
該藺草敷物構成体(2)は、板状基体(41)と、該板状基体(41)の表面側に積層されたクッション材(42)と、該クッション材(42)に積層してまたは板状基体(41)とクッション材(42)を覆うようにして設けられた藺草織物(43)と、少なくとも藺草織物(43)の表面全体あるいは少なくとも上記裁断端部(431)の断面を含む藺草織物(43)の表面全体に被覆させてある熱可塑性樹脂からなる透視性を有する被覆フィルム(4)と、
を有しており、
該被覆フィルム(4)は、加熱用のヒーター(56)を有する真空吸引被覆装置(B)を用いた加熱操作と真空吸引操作により藺草織物(43)の表面全体の凹凸に沿って密着させてあり、この密着に伴う圧力で上記クッション材(42)が変形することによって、少なくとも藺草敷物構成体(2)の幅方向の両端側の上部は角張らずに曲面状または丸みをつけて形成されている、
藺草織物を使用した敷物。
【請求項４】
裁断端部(431)を有する藺草織物(461)を使用した敷物であって、
板状基体(45)と、
該板状基体(45)に積層してまたは該板状基体(45)を覆うようにして設けられた藺草織物(461)と、
少なくとも藺草織物(461)の表面全体あるいは少なくとも上記裁断端部(431)の断面を含む藺草織物(461)の表面全体に被覆させてある透視性を有する被覆フィルム(462)と、
を有している、
藺草織物を使用した敷物。
【請求項５】
裁断端部(431)を有する藺草織物(461)を使用した敷物であって、
通気性を有している板状基体(45)と、
該板状基体(45)の底面側の通気性を損なわないように、少なくとも該板状基体(45)の表面側に積層してまたは該板状基体(45)の表面側を覆うようにして設けられた藺草敷物構成シート(46)と、
を備えており、
該藺草敷物構成シート(46)は、藺草織物(461)と、上記藺草織物(461)の表面全体あるいは上記裁断端部(431)の断面を含む藺草織物(461)の表面全体に被覆させてある透視性を有する被覆フィルム(462)と、
を有している、
藺草織物を使用した敷物。
【請求項６】
被覆フィルム(4)は熱可塑性樹脂からなり、加熱用のヒーター(56)を有する真空吸引被覆装置(B)を用いた加熱操作と真空吸引操作により藺草織物(43)表面の凹凸に沿って密着するように被覆させてある、
請求項１，２，４または５記載の藺草織物を使用した敷物。
【請求項７】
敷物に使用される藺草敷物構成シートであって、
裁断端部(431)を有する藺草織物(461)と、藺草織物(461)の表面全体あるいは上記裁断端部(431)の断面を含む藺草織物(43)の表面全体に被覆させてある熱可塑性樹脂からなる透視性を有する被覆フィルム(462)と、を備えており、
該被覆フィルム(462)は、加熱用のヒーター(56)を有する真空吸引被覆装置(B)を用いた加熱操作と真空吸引操作により藺草織物(461)表面の凹凸に沿って密着するように被覆させてある、
藺草敷物構成シート。
【請求項８】
藺草織物(43)を裁断した後の裁断端部(431)の処理構造を有する藺草織物構造体であって、
少なくとも藺草織物(43)の表面全体あるいは少なくとも上記裁断端部(431)の断面を含む藺草織物(43)の表面全体に、熱可塑性樹脂からなる透視性を有する被覆フィルム(4)が被覆させてあり、
該被覆フィルム(4)は、加熱用のヒーター(56)を有する真空吸引被覆装置(B)を用いた加熱操作と真空吸引操作により藺草織物(43)の表面全体の凹凸に沿って密着させてある、
藺草織物構造体。
【請求項９】
藺草織物(43)を裁断した後の裁断端部(431)の処理方法であって、
加熱用のヒーター(56)を有する真空吸引被覆装置(B)を用いた加熱操作と真空吸引操作により、熱可塑性樹脂からなる透視性を有する被覆フィルム(4)が藺草織物(43)表面の凹凸に沿って密着するように、該被覆フィルム(4)で少なくとも藺草織物(43)の表面全体あるいは少なくとも上記裁断端部(431)の断面を含む藺草織物(43)の表面全体を被覆する、
藺草織物の裁断端部の処理方法。
【発明の詳細な説明】
【技術分野】
【０００１】
本発明は、藺草織物を使用した敷物、それに使用する藺草敷物構成シート、藺草織物構造体及び藺草織物の裁断端部の処理方法に関する。
更に詳しくは、裁断端部を有する藺草織物を使用した敷物において、従来のような裁断端部を縁布で覆ったり、裁断端部を含む裁断側を折り返すような処理方法とは異なる新しい方法で裁断端部を処理することにより、裁断端部から藺草の繊維が解れたり、裁断端部から露出した藺草の繊維が擦れることを防止したものに関する。
【背景技術】
【０００２】
茣蓙や筵に代表される藺草敷物は、蒸し暑い日本の夏に欠かせない敷物として長年消費者に親しまれている。藺草敷物は、天然素材である藺草を使用しているため自然の温もりを強く感じることができ、また落ち着いた和の雰囲気を醸し出すことができる敷物である。そして、近年では、筵をウレタン等のクッション材に張り合わせする等により、藺草カーペットや藺草ラグと呼ばれる商品も提案されている。
【０００３】
ところで、藺草敷物は、通常、経糸に対し藺草を交互に織成した藺草織物を基材としている。このため、所要の大きさに裁断した藺草織物をそのまま使用すると、その裁断端部から藺草が解れたり、裁断端部から露出した藺草の繊維が擦れて繊維が逆立ち、ケバ立ちが起きてしまう。
【０００４】
したがって、裁断した藺草織物を使用する際には、裁断端部が表面から露出しないような処理を施す必要がある。具体的には、裁断端部を縁布で覆ったり、裁断端部を含む端辺側を裏側に折り返す処理が行われる。
例えば、特許文献１に記載された畳表マットでは、その両方の処理が施されており、特許文献２記載の縁なし畳では、四方の端辺側を畳床の裏面にそれぞれ折り返す処理が施されている。
【特許文献１】登録実用新案第３０１１２３５号公報（第１図）
【特許文献２】特開２００５−１２０６２４号公報（第２図）
【発明の開示】
【発明が解決しようとする課題】
【０００５】
しかしながら、従来の裁断端部の処理方法では次のような課題があった。
(1) まず、特許文献１記載の畳表マットのように、藺草織物の裁断個所を縁布で覆う場合は、縁布が敷物表面に必ず現れてしまうので、昔ながらの茣蓙のように、藺草敷物特有の縁布が付いたありきたりのデザインにならざるを得ない。
【０００６】
(2) また特許文献２記載の縁なし畳のように、裁断側を折り返した場合では、縁なし畳の四隅部分に藺草織物の裁断端部が位置するようになる。このため、長年使用していると、部屋に敷いた縁なし畳が互いに擦れ合って、この四隅部分の裁断端部が擦れてここから藺草織物が破損しやすい。
【０００７】
(3) 更に藺草織物は、藺草の織成方向の関係から、経糸方向には折り曲げやすいが、経糸と直角方向には藺草の茎が折れるような状況になるため、折り曲げにくいという欠点がある。そして、正方形の縁なし畳のように、畳床に対して藺草織物を左右上下の四方向からそれぞれ裏側に折り返す場合、藺草の茎が折れるような方向に折り曲げる表面側の端辺部があり、その部分は他の端辺部に比べて弱く、藺草の繊維が破断しやすい。
【０００８】
(4) また更に、上記したような裁断箇所を縁布で覆ったり、裁断側を折り返さなくてはならないといった製造上の制約が、新しい形態の藺草敷物の開発に障害となっている。以下、本願発明者の開発例を挙げながら説明する。
【０００９】
本願発明者は、近年、建物の洋風化とともにフローリングの床面が急増していることから、フローリングの床面等に敷いて和室の雰囲気を気軽に楽しめる、カーペットタイプの新しい藺草敷物の開発に着手した。
図８は、本願発明者が開発に着手したカーペットタイプの新しい藺草敷物の概略を示す部分拡大斜視説明図である。
【００１０】
図８に示すように、この藺草敷物は、ウッドカーペットを改良したような形態を有する。詳しくは、シート体９１に縦長で木製の平板９２を複数隣接して並設させ、その平板９２の表面に所要の大きさに裁断した藺草織物９３を張り合わせたような構造となっている。
【００１１】
そして、平板９２の適度な重量によりフローリングの床面に敷いても滑りにくく、更に不使用時には、シート体９１の裏側を内側にしてロール状に巻き取れば敷物全体をコンパクトに巻き取ることができるといった利点を有する。
しかしながら、この新しい藺草敷物の開発を進める中で、以下のような問題に直面した。
【００１２】
即ち、平板９２には、平板９２の大きさに合わせて細長く裁断した藺草織物９３（図８参照）を張り合わせるのであるが、裁断によって生じる裁断端部９３１をどのようにして処理するかという問題である。この藺草敷物の場合、藺草織物９３の裁断端部９３１は、各平板９２の幅方向の両端側に、且つ、平板の長手方向に沿って主に形成される。
【００１３】
そこで、従来と同じ処理方法のように（図９を参照）、裁断端部９３１を縁布９４で覆うことが考えられる。しかしながら、平板９２は一枚一枚の幅が狭く細長い。このため、各藺草織物９３の幅方向の両端側を縁布９４でそれぞれ覆ってしまうと、藺草織物９３の大部分が縁布９４で覆われ、藺草敷物の良さが半減してしまう。また全体的に見ても、一枚の敷物に縁布９４が何本も横に走った非常に見苦しいデザインになってしまう。
【００１４】
また従来と同じ処理方法のように（図１０を参照）、裁断端部９３１を含む藺草織物９３の幅方向の両端側をそれぞれ平板９２の底面側まで折り返すことも考えられる。この場合、図９と相違して、縁布９４を使わないので見苦しくなることはないが、平板９２の幅方向の側面部までも藺草織物９３で覆われることになる。このため、例えば部屋に敷いて長年使用していると、並設した平板９２側面の藺草織物９３が隣接する他の平板９２の藺草織物９３とこすれ合って（図１０で丸Ｄで囲んだ部分を参照）、藺草繊維の表面が逆立ったりケバ立ったりして破損する可能性が高い。
【００１５】
このように、藺草織物９３の裁断端部９３１を縁布９４で覆ったり、裁断側を折り返さなくてはならないといった製造上の制約が、新しい藺草敷物の提案とその開発に大きな障害となる。
【００１６】
そこで、本願発明者は、藺草織物の裁断端部を縁布で覆ったり、裁断側を折り返すような従来の処理方法とは異なる、新しい裁断端部の処理方法の開発に鋭意に取り組んだ結果、本発明を完成するに至ったものである。
【００１７】
（本発明の目的）
そこで本発明の目的は、裁断端部を有する藺草織物を使用した敷物において、従来のような裁断端部を縁布で覆ったり、裁断端部を含む裁断側を折り返すような処理方法とは異なる新しい方法で裁断端部を処理することにより、裁断端部から藺草の繊維が解れたり、裁断端部表面の藺草の繊維が擦れることを防止することにある。
【００１８】
また本発明の他の目的は、藺草織物本来の質感や風合いが損なわれることを防止しつつ、上記した目的も達成できるようにした藺草織物を使用した敷物、それに使用する藺草敷物構成シート及び藺草織物の裁断端部の処理方法を提供することにある。
【００１９】
更に本発明の他の目的は、耐水性や耐汚染性に優れると共に、上記した目的も達成できるようにした藺草織物を使用した敷物、それに使用する藺草敷物構成シート及び藺草織物の裁断端部の処理方法を提供することにある。
その他の本発明の目的は、以下の説明によって明らかになるであろう。
【課題を解決するための手段】
【００２０】
上記目的を達成するために本発明が講じた手段は次のとおりである。
【００２１】
本発明は、裁断端部(431)を有する藺草織物(43)を使用した敷物であって、少なくとも藺草織物(43)の表面全体あるいは少なくとも上記裁断端部(431)の断面を含む藺草織物(43)の表面全体に、透視性を有する被覆フィルム(4)が被覆させてある、藺草織物を使用した敷物である。
【００２２】
本発明は、裁断端部(431)を有する藺草織物(43)を使用した敷物であって、シート体(1)と、該シート体(1)の表面に複数隣接して並設された細長い板状の藺草敷物構成体(2)と、を備え、該藺草敷物構成体(2)は、板状基体(41)と、該板状基体(41)に積層してまたは該板状基体(41)を覆うようにして設けられた藺草織物(43)と、少なくとも藺草織物(43)の表面全体あるいは少なくとも上記裁断端部(431)の断面を含む藺草織物(43)の表面全体に被覆させてある透視性を有する被覆フィルム(4)と、を有している、藺草織物を使用した敷物である。
また少なくとも藺草敷物構成体(2)の幅方向の両端側の上部は、角張らずに曲面状または丸みをつけて形成されていることが好ましい。
【００２３】
本発明は、裁断端部(431)を有する藺草織物(43)を使用した敷物であって、シート体(1)と、該シート体(1)の表面に複数隣接して並設された細長い板状の藺草敷物構成体(2)と、を備え、該藺草敷物構成体(2)は、板状基体(41)と、該板状基体(41)の表面側に積層されたクッション材(42)と、該クッション材(42)に積層してまたは板状基体(41)とクッション材(42)を覆うようにして設けられた藺草織物(43)と、少なくとも藺草織物(43)の表面全体あるいは少なくとも上記裁断端部(431)の断面を含む藺草織物(43)の表面全体に被覆させてある熱可塑性樹脂からなる透視性を有する被覆フィルム(4)と、を有しており、該被覆フィルム(4)は、加熱用のヒーター(56)を有する真空吸引被覆装置(B)を用いた加熱操作と真空吸引操作により藺草織物(43)の表面全体の凹凸に沿って密着させてあり、この密着に伴う圧力で上記クッション材(42)が変形することによって、少なくとも藺草敷物構成体(2)の幅方向の両端側の上部は角張らずに曲面状または丸みをつけて形成されている、藺草織物を使用した敷物である。
【００２４】
本発明は、裁断端部(431)を有する藺草織物(461)を使用した敷物であって、板状基体(45)と、該板状基体(45)に積層してまたは該板状基体(45)を覆うようにして設けられた藺草織物(461)と、少なくとも藺草織物(461)の表面全体あるいは少なくとも上記裁断端部(431)の断面を含む藺草織物(461)の表面全体に被覆させてある透視性を有する被覆フィルム(462)と、を有している、藺草織物を使用した敷物である。
【００２５】
本発明は、裁断端部(431)を有する藺草織物(461)を使用した敷物であって、通気性を有している板状基体(45)と、該板状基体(45)の底面側の通気性を損なわないように、少なくとも該板状基体(45)の表面側に積層してまたは該板状基体(45)の表面側を覆うようにして設けられた藺草敷物構成シート(46)と、を備えており、該藺草敷物構成シート(46)は、藺草織物(461)と、上記藺草織物(461)の表面全体あるいは上記裁断端部(431)の断面を含む藺草織物(461)の表面全体に被覆させてある透視性を有する被覆フィルム(462)と、を有している、藺草織物を使用した敷物である。
【００２６】
上記被覆フィルム(4)は熱可塑性樹脂からなり、加熱用のヒーター(56)を有する真空吸引被覆装置(B)を用いた加熱操作と真空吸引操作により藺草織物(43)表面の凹凸に沿って密着するように被覆させてあることが好ましい。
【００２７】
本発明は、敷物に使用される藺草敷物構成シートであって、裁断端部(431)を有する藺草織物(461)と、藺草織物(461)の表面全体あるいは上記裁断端部(431)の断面を含む藺草織物(43)の表面全体に被覆させてある熱可塑性樹脂からなる透視性を有する被覆フィルム(462)と、を備えており、該被覆フィルム(462)は、加熱用のヒーター(56)を有する真空吸引被覆装置(B)を用いた加熱操作と真空吸引操作により藺草織物(461)表面の凹凸に沿って密着するように被覆させてある、藺草敷物構成シートである。
【００２８】
本発明は、藺草織物(43)を裁断した後の裁断端部(431)の処理構造を有する藺草織物構造体であって、少なくとも藺草織物(43)の表面全体あるいは少なくとも上記裁断端部(431)の断面を含む藺草織物(43)の表面全体に、熱可塑性樹脂からなる透視性を有する被覆フィルム(4)が被覆させてあり、該被覆フィルム(4)は、加熱用のヒーター(56)を有する真空吸引被覆装置(B)を用いた加熱操作と真空吸引操作により藺草織物(43)の表面全体の凹凸に沿って密着させてある、藺草織物構造体である。
【００２９】
本発明は、藺草織物(43)を裁断した後の裁断端部(431)の処理方法であって、加熱用のヒーター(56)を有する真空吸引被覆装置(B)を用いた加熱操作と真空吸引操作により、熱可塑性樹脂からなる透視性を有する被覆フィルム(4)が藺草織物(43)表面の凹凸に沿って密着するように、該被覆フィルム(4)で少なくとも藺草織物(43)の表面全体あるいは少なくとも上記裁断端部(431)の断面を含む藺草織物(43)の表面全体を被覆する、藺草織物の裁断端部の処理方法である。
【発明の効果】
【００３０】
本発明は上記構成を備え、次の効果を有する。
（ａ）本発明によれば、少なくとも藺草織物の表面全体あるいは少なくとも裁断端部の断面を含む藺草織物の表面全体に、透視性を有する被覆フィルムが被覆させてあるので、裁断端部から藺草の繊維が解れたり、裁断端部の表面または裁断端部の断面の藺草が擦れて繊維が逆立ったりケバ立ったりすることを防止できる。また、逆立ったりケバ立ったりした藺草の繊維によって、足の裏などを怪我することを防止できる。このように、少なくとも藺草織物の表面全体を被覆フィルムで被覆すれば、従来のような裁断端部を縁布で覆ったり、裁断端部を含む裁断側を折り返すような処理を施す必要がなくなる。また縁布を使用しないで裁断端部の処理ができるので、藺草織物のデザインの幅が拡がり、新しい形態の藺草織物を使用した敷物の開発が容易となる。
【００３１】
（ｂ）被覆フィルムが熱可塑性樹脂からなり、加熱用のヒーターを有する真空吸引被覆装置を用いた加熱操作と真空吸引操作により藺草織物表面の凹凸に沿って密着するように被覆させてあるものは、藺草織物本来の質感や風合いが損なわれにくい。
【００３２】
（ｃ）更に本発明によれば、少なくとも藺草織物の表面全体あるいは少なくとも裁断端部の断面を含む藺草織物面全体が被覆フィルムにより被覆されているので、敷物表面側は耐水性及び耐汚染性を有している。よって、部屋の中だけでなく、湿気が多く、濡れやすい温泉浴場の脱衣所等にも好適に使用できる。また表面に汚れが付着した場合でも、雑巾等で水拭きして簡単に汚れを落とすことができる。
【００３３】
（ｄ）シート体と、該シート体の表面に複数隣接して並設された細長い板状の藺草敷物構成体と、を備えているものは、縁布を使用せずに裁断端部の処理ができるので、藺草織物を有する細長い板状の藺草敷物構成体を複数並設して組み合わせても、縁布が何本も横に走ったような見苦しいデザインになることがない。
また、この藺草敷物を部屋に敷く等して使用することで並設された藺草敷物構成体が互いにこすれ合っても、藺草織物の裁断端部の表面または裁断端部の断面も被覆フィルムで被覆されているので、この部分が擦れて藺草の繊維が逆立ったりケバ立ったり、あるいはそこから破れたりすることを防止できる。
【００３４】
（ｅ）少なくとも藺草敷物構成体の幅方向の両端側の上部が角張らずに曲面状または丸みをつけて形成されているものは、角張って形成されたものに比べて、隣接する藺草敷物構成体の間に手の指や足の指等を挟むことを防止できる。
また角張らずに曲面状または丸みをつけて形成されていることで、隣接する藺草敷物構成体の境目部分の上方に凹みが形成される。これにより、この境目部分を踏んでも、上記凹みが逃げとなって藺草織物がこの部分から上方に曲り、境目部分の上部の破損が防止される。
【００３５】
（ｆ）通気性を有している板状基体と、該板状基体の底面側の通気性を損なわないように、少なくとも該板状基体の表面側に積層してまたは該板状基体の表面側を覆うようにして設けられた藺草敷物構成シートと、を備えているものは、藺草織物を使用した敷物の底部側から、通気性を有する基体シートを通して、表面側の藺草の香りが外部に漂う。したがって、通常の畳と同様に藺草の香りを楽しむことができる。
【発明を実施するための最良の形態】
【００３６】
本発明に係る藺草織物を使用した敷物としては、部屋に敷く藺草カーペットや藺草ラグ、玄関に敷く玄関マット、廊下敷き、キッチンマット、あるいは温泉浴場の脱衣所に敷くマットや敷物、ヨガをするときに敷くヨガ用マット、縁なし畳、公園のベンチに敷くベンチ用座部等の様々な敷物を挙げることができる。
なお、この具体例はあくまで代表的なものであり、特にこれらに限定するものではない。
【００３７】
以下、本発明を実施例により説明するが、本発明はこれらに限定されるものではない。
【００３８】
本発明を図面に示した実施例に基づき更に詳細に説明する。
【実施例１】
【００３９】
図１ないし図３は、本発明に係る藺草織物を使用した敷物の第一の実施例を示す説明図である。以下、「藺草織物を使用した敷物」を単に「藺草敷物」という。
【００４０】
図１は、藺草敷物の斜視説明図、
図２は、図１のI−I部分に対応する断面の一部（図１で左端側）を示す藺草織物の部分拡大断面説明図、
図３は、図１に示す藺草敷物を構成する藺草敷物構成体を示す拡大斜視説明図であり、長手方向の中間部分を一部省略して表している。
【００４１】
図１及び図２に示す藺草敷物Ａ１は、シート体１と、該シート体１の表面に複数隣接して並設された細長い板状の藺草敷物構成体２と、を備えている。図２に示すように、シート体１の表面には、図３に示す藺草敷物構成体２の底面部２１が接着剤で接着して取り付けられている。本実施例では、藺草敷物構成体２の大きさは、幅が約６ｃｍ、長さが約８５ｃｍ、厚みが０．５〜１ｃｍであるが、特にこれに限定するものではない。
【００４２】
藺草敷物Ａ１は、ウッドカーペットと同様に、シート体１の裏側を内側にして全体をロール状に巻き取ることができるので、運搬や保管が容易である。また藺草敷物Ａ１の両端側（両端の各藺草敷物構成体２の外側）には、並設された藺草敷物構成体２を両側から挟むようにして縁部材３が取り付けてある。
【００４３】
本実施例では、縁部材３は木製素材で形成されている。この縁部材３により、両端の各藺草敷物構成体２の幅方向の外側の側面部２２（図２参照）が隠れ、外から見えないようになっている。縁部材３は踏んでも痛くないように角を落とし、丸みをつけて形成されている。縁部材３は、プラスチックやゴム（天然ゴム、合成ゴムを問わない）等のその他の材料で形成することもできる。
【００４４】
本実施例では、シート体１は不織布で形成されている。シート体１は、藺草敷物Ａ１を例えばフローリングの床面に敷いても滑りにくいように、少なくとも裏面側（底面側）が滑り止め効果を有するものが好ましい。シート体１は、布製品（織布や編布等）、皮革、合成皮革、柔軟性を有するプラスチックシートやゴム、あるいはそれらを組み合わせたもの等やその他の素材などを使用することもできる。
【００４５】
図２及び図３に示すように、藺草敷物構成体２は、表面側にクッション材４２が積層された板状基体４１と、該クッション材４２に積層して設けられた藺草織物４３と、少なくとも藺草織物４３の全体に被覆させてある熱可塑性樹脂からなる透視性を有する被覆フィルム４と、を有している。なお、クッション材４２を省略することもできる。
【００４６】
板状基体４１は、薄板状で細長い木製の板で形成されている。例えば板状基体４１は、ベニヤ板やＭＤＦ（中比重繊維板）で形成することができる。ＭＤＦよりもベニヤ板の方が水に強い。よって、湿気が多い場所や水を使うような場所で藺草敷物Ａ１を使用する場合は、ベニヤ板で板状基体４１を形成することが好ましい。板状基体４１として、プラスチックやゴム（天然ゴム、合成ゴムを問わない）等といったその他の硬質素材を使用することもできる。
【００４７】
クッション材４２としては、シート体１や藺草織物４３との接着性が良いものが好ましい。本実施例では、クッション材４２としてフェルトを使用している。その他のクッション材４２としては、ポリウレタンフォームやその他の合成樹脂、ゴム（天然ゴム、合成ゴムを問わない）、布、あるいはそれらを組み合わせたもの等を挙げることができる。
【００４８】
藺草織物４３としては、経糸に対し藺草を交互に織成した筵とも呼ばれる所要の大きさに裁断した藺草織物を使用している。藺草織物４３の織り方は、糸引織や双目織、あるいはその他公知の織り方が採用できる。図３に示すように、藺草織物４３は、細長い藺草敷物構成体２の大きさに合うように所要の大きさに裁断され、その裁断によって形成された裁断端部４３１を有している。なお、上記藺草敷物構成体２は、藺草織物４３を裁断した後の裁断端部４３１の処理構造を有する藺草織物構造体を構成する。
【００４９】
また本実施例では、経糸方向に沿って細長い形状になるように藺草織物４３が裁断されており、藺草織物４３の裁断端部４３１（図２参照）は、藺草敷物構成体２の幅方向の両側に位置している。また藺草織物４３の藺草の繊維方向は、藺草敷物構成体２の幅方向と本質的に一致している。
【００５０】
被覆フィルム４としては、透明または半透明のポリ塩化ビニルやポリオレフィン製の熱可塑性フィルムを使用している。熱可塑性フィルムの厚みは０．０８〜０．１０mmのものを使用している。
【００５１】
そうして、図２に示すように、板状基体４１の表面にクッション材４２が接着して積層され、更にクッション材４２の表面に藺草織物４３が接着して積層されている。この際、藺草織物４３は、クッション材４２が積層された板状基体４１の長手方向の両端の側面部４１１側（図３参照）も覆うようにして積層されている。この「積層された板状基体４１、クッション材４２及び藺草織物４３」を説明の便宜上、「藺草積層体４００」という。そして、最後に藺草積層体４００の表面側（藺草織物４３の表面全体）と、藺草積層体４００の幅方向の両側面を覆うようにして、被覆フィルム４が被覆される。
【００５２】
この被覆フィルム４は、後述する加熱用のヒーターを有する真空吸引被覆装置Ｂ（図４参照）を用いた加熱操作と真空吸引操作により、藺草織物４３の表面全体の凹凸に沿って密着するように被覆させてある。
【００５３】
また図２に示すように、被覆フィルム４が被覆されてなる藺草敷物構成体２の表面側のうち、幅方向の両端側は、角部が角張らずに、曲面状または丸みをつけて形成された面取り部２３を有している。更に藺草敷物構成体２の長手方向の両端側も同様に、角部が角張らずに、曲面状または丸みをつけて形成された面取り部２４（図３参照）を有している。
これら面取り部２３，２４は、後述するように、真空吸引被覆装置Ｂによる被覆フィルム４の密着に伴う圧力によって上記クッション材４２が変形することで形成される。
【００５４】
（真空吸引被覆装置Ｂとそれを使用した被覆フィルム４の被覆方法）
図４は、真空吸引被覆装置を用いて、被覆フィルムを藺草積層体に被覆している状態を示す側面視説明図である。
そのうち、図４(ａ)は昇降チャンバを降下させる前の状態を示し、図４(ｂ)は昇降チャンバを降下させた後の状態を示している。
【００５５】
図５は、吸引チャンバを図４(ａ)のII−II矢視方向から見たものに対応する平面視概略説明図であり、吸引チャンバの吸引載置面に置いた複数の藺草積層体と成形治具の位置関係を示す説明図である。
【００５６】
本実施例では、一つの真空吸引被覆装置Ｂで複数（図４(ａ)では７つ）の藺草積層体４００を同時に被覆処理した場合の例を挙げて説明する。なお、藺草積層体４００を一つずつ被覆処理することもできるが、製造効率を向上させて製品単価を抑えるためには、できるだけ多くの藺草積層体４００を同時に被覆処理することが好ましい。
【００５７】
まず、真空吸引被覆装置Ｂと成形用治具について説明する。
藺草積層体４００に対する被覆フィルム４の被覆（藺草敷物構成体２の製造）には、図４(ａ)に示す真空吸引被覆装置Ｂが使用される。真空吸引被覆装置Ｂは、上下向かい合わせに配置された昇降チャンバ５と吸引チャンバ６を備えている。
【００５８】
昇降チャンバ５は、流体圧シリンダ装置のピストンロッド５１先端に連結されており、昇降可能となっている。昇降チャンバ５は、下部側に開口部５２１を備えた箱状体によって形成された昇降チャンバ本体５２を備えている。
【００５９】
昇降チャンバ本体５２の開口部５２１側には、開口部５２１を塞ぐように伸縮性及び耐熱性を備えた加圧用のゴム状弾性膜５３が張設されている。ゴム状弾性膜５３はシリコン製のシートで形成されている。
【００６０】
昇降チャンバ本体５２には、昇降チャンバ本体５２とゴム状弾性膜５３によって区画された空間部５４に流体、好ましくは空気の供給または排出を行う空気流通部５５が設けてある。更に、昇降チャンバ本体５２の内面上部側には、加熱用のヒーター５６が設けてある。このヒーター５６によって、上記空間部５４内の空気及びゴム状弾性膜５３が所要の温度に加熱される。
【００６１】
他方、吸引チャンバ６の上面部は、藺草積層体４００や被覆フィルム４等を載置する吸引載置面６１を構成している。吸引チャンバ６は箱状に形成されており、吸引載置面６１側には所要の配列状態で複数の通気孔（図示省略）が設けてある。吸引チャンバ６には空気吸引部６２を介して真空吸引装置（図示省略）が接続されている。真空吸引装置により、上記通気孔を介して吸引載置面６１上に載置した被覆フィルム４を吸引できるように構成されている。
【００６２】
また本実施例では、真空吸引被覆装置Ｂを使用する際に成形用治具を一緒に使用する。
図４(ａ)に示すように、成形用治具は、藺草積層体４００載置する載置具７１と、載置具７１の周囲に配置されたフレーム７２（図５も参照）を備えている。
【００６３】
載置具７１は所要の厚みを有する板状体であり、藺草積層体４００よりも一回り小さい。また、フレーム７２は図５に示すような平面視Ｌ形状の細長い棒状体であり、載置具７１に載置された藺草積層体４００の四隅部分を外から囲むように四箇所配置されている。
フレーム７２（図４(ａ)参照）の高さは載置具７１と同程度か、やや高く、載置具７１に載置した際の藺草積層体４００の高さよりも低くなっている。なお、藺草積層体４００の周りを一周囲むことができるようにフレーム７２を枠状に形成することもできる。
【００６４】
以下、上記した真空吸引被覆装置Ｂ及び成形用治具を用いて、藺草積層体４００に被覆フィルム４を被覆する方法（ラミネート加工する方法）について説明する。
【００６５】
まず、被覆対象である藺草積層体４００を吸引チャンバ６に置く前に、スプレーガン等を使用して、藺草積層体４００の表面全体（藺草織物４３の表面全体と藺草積層体４００の幅方向の両側面部）に液状の接着剤を均一に塗布する。塗布後、接着面がセミドライ（半乾きや多少乾いた）状態になるまで室温でやや乾燥させ、接着剤中の水分を適度に蒸発させる。
【００６６】
その後、図５に示すように、吸引チャンバ６の吸引載置面６１に載置具７１（破線で示す）を所要間隔をおいて並べると共に、その上に上記した藺草積層体４００を置く。そして、藺草積層体４００を取り囲むようにして、藺草積層体４００からやや離した位置にフレーム７２を配置する。
【００６７】
次に、図４(ａ)に示す昇降チャンバ５において、ヒーター５６で昇降チャンバ５のゴム状弾性膜５３を加熱しつつ、ゴム状弾性膜５３で区画された空間部５４に流入した空気を加熱する。ヒーター５６は、例えば藺草積層体４００表面の温度が８０〜１００℃になるように設定する。空間部５４の空圧は、例えば４ｋｇｆ／m２（３９．２ｋＰa）に設定されている。
【００６８】
以上のようにして、昇降チャンバ５が加熱された状態において、図５に示すように、藺草積層体４００とフレーム７２全体を跨るようにして被覆フィルム４（一点鎖線で示す）を被せる。この際、被覆フィルム４はフレーム７２よりも外側へはみ出すように被せる。
これにより、図４(ａ)に示すように、各フレーム７２と藺草積層体４００との間、及び藺草積層体４００と藺草積層体４００との間には、真空吸引操作により被覆フィルム４が吸引可能な空間部６０が形成される。
【００６９】
次に、図４(ｂ)に示すように、昇降チャンバ５を降下させ、ゴム状弾性膜５３によって藺草積層体４００と被覆フィルム４を所定の圧力で押圧する。そして、吸引チャンバ６に接続された真空吸引装置（図示省略）を操作して、吸引載置面６１上の吸引孔から真空吸引を行う。この際、ゴム状弾性膜５３により加熱軟化した被覆フィルム４及び藺草積層体４００が押圧されると共に、真空吸引操作において被覆フィルム４が藺草積層体４００の外周下方に吸引される。これにより、被覆フィルム４は延伸して藺草織物４３（図３参照）表面の凹凸形状に沿って密着する。
【００７０】
更に、藺草積層体４００とフレーム７２の間、及び藺草積層体４００と藺草積層体４００にある被覆フィルム４は、空間部６０に引き寄せられ、藺草積層体４００の側面の全周を取り巻くように延伸した状態で密着し、これにより藺草積層体４００の四隅部分に皺ができない。そして、被覆フィルム４は加熱によって硬化した接着剤により、藺草積層体４００の表面及び側面の全周に沿って接着される。
【００７１】
また、昇降チャンバ５による押圧と吸引チャンバ６による真空吸引によって、被覆フィルム４が藺草織物４３の表面全体に密着するが、この密着に伴う圧力によって上記クッション材４２（図２参照）の周縁部分が押圧されて変形し、上記した面取り部２３,２４（図３も参照）が形成される。
【００７２】
この昇降チャンバ５による押圧と吸引チャンバ６による真空吸引は、１３０〜１４０秒程度行われる。この吸引が終了後、昇降チャンバ５を上昇させ、藺草織物４３表面の凹凸に沿って被覆フィルム４が積層された藺草積層体４００を取り出す。そして、最後に藺草積層体４００の側面の全周からはみ出した被覆フィルム４を切断して、目的とする藺草敷物構成体２（図３参照）を得る。
【００７３】
その後、上記したように（図１及び図２参照）、シート体１の表面に藺草敷物構成体２を接着して複数隣接して並設させる。この際、シート体１の両端側に縁部材３を取り付けることができるように、シート体１の両端部にスペースを開けて藺草敷物構成体２を取り付ける。この縁部材３も藺草敷物構成体２と同様に、接着によってシート体１に取り付ける。このようにして、目的とする藺草敷物Ａ１を得る。
【００７４】
（作  用）
本実施例に係る藺草敷物Ａ１は、次のように作用する。
図１に示す藺草敷物Ａ１は  所要の大きさに裁断された藺草織物４３（図２参照）を使用して形成されている。そして、図２及び図３に示すように、藺草織物４３の表面全体を含む藺草積層体４００の表面及び側面の全周を、被覆フィルム４で被覆している。
【００７５】
藺草織物４３は裁断されることによって裁断端部４３１を有しているが、裁断端部４３１を含む藺草織物４３は被覆フィルム４で覆われているため、その裁断端部４３１から藺草の繊維が解れたり、裁断端部４３１から露出した藺草の繊維が擦れるようなことはない。また、逆立ったりケバ立ったりした藺草の繊維によって、足の裏などを怪我することを防止できる。このように、少なくとも藺草織物４３の表面全体を被覆フィルム４で被覆すれば、従来のような裁断端部４３１を縁布で覆ったり、裁断端部４３１を含む裁断側を折り返すような処理を施す必要はない。
【００７６】
よって、縁布を使用せずに裁断端部の処理ができるので、縁布が何本も横に走ったような見苦しいデザインになることはなく、図１に示す本実施例の藺草敷物Ａ１のように、細長の藺草織物４３を複数隣接して並設して組み合わせても、全体が一枚の藺草織物で形成されたようなシンプルで洗練されたデザインに仕上げることができる。
【００７７】
更に、図２に示すように、藺草織物４３の表面だけでなく、藺草積層体４００の幅方向の各側面部も被覆フィルム４で覆われている。よって、藺草敷物Ａ１を部屋に敷く等して使用することで並設された藺草敷物構成体２が互いにこすれ合っても、藺草織物４３同士が直接接触することはない。したがって、藺草織物４３の表面が擦れて繊維が逆立ったりケバ立ったり、あるいは破れたりするようなことはない。
【００７８】
しかも、被覆フィルム４は透視性を有し、且つ、加熱用のヒーター５６を有する真空吸引被覆装置Ｂを用いた加熱操作と真空吸引操作により藺草織物４３表面の凹凸に沿って密着するように被覆させてある。したがって、眼を近づけて見ても、藺草織物４３の表面に被覆フィルム４が張られていることを判別することができないか、殆ど判別できないほど緻密に形成されており、藺草織物４３本来の質感や風合いが損なわれていない。
【００７９】
また図２に示すように、藺草敷物構成体２の幅方向の両端側は、面取り部２３により角張らずに曲面状または丸みをつけて形成されている。よって、角張って形成されたものに比べて、並設された藺草敷物構成体２，２の間に手の指や足の指等を挟むことを防止できる。
【００８０】
更に、この面取り部２３によって、隣接して並設された藺草敷物構成体２,２の境目部分の上方に凹み２３０が形成される。これにより、この境目部分を踏んでも、上記凹み２３０が逃げとなって藺草織物Ａ１がこの部分から上方に曲り、境目部分の上部の破損が防止される。
【００８１】
また更に、藺草織物４３が被覆フィルム４により被覆されているので、敷物表面が耐水性を有している。よって、部屋の中だけでなく、湿気が多く、濡れやすい温泉浴場の脱衣所等にも好適に使用できる。また表面に汚れが付着した場合でも、雑巾等で水拭きして簡単に汚れを落とすことができる。
【００８２】
なお、本実施例では、ゴム状弾性膜５３を有する真空吸引被覆装置Ｂ（図４(ａ)参照）を用いて被覆フィルム４を被覆したが、ゴム状弾性膜５３を有さない真空吸引被覆装置（図示省略）を使用することもできる。即ち、ゴム状弾性膜５３による押圧を行うことなく、ヒーター５６による加熱操作と吸引チャンバ６による真空吸引操作で被覆フィルム４を被覆することもできる。
【００８３】
また図２に示すように、本実施例では、藺草織物４３が藺草積層体４００（クッション材４２）の表面に設けられているが、表面だけではなく藺草積層体４００の幅方向の側面部まで覆うようにして設けても良い。この場合でも、藺草織物４３の表面全体を被覆フィルム４で被覆すれば、隣接する藺草敷物構成体２が互いにこすれ合っても、藺草織物４３同士が直接接触することはない。
【００８４】
更に本実施例では、藺草の繊維方向が藺草積層体４００の幅方向と本質的に一致するようにして藺草織物４３を積層しているが、藺草の繊維方向が藺草積層体４００の長手方向と本質的に一致するように藺草織物４３を積層しても良い。
【実施例２】
【００８５】
図６及び図７は、本発明に係る藺草織物を使用した敷物の第二の実施例を示す説明図である。
図６は、藺草敷物の斜視説明図、
図７は、藺草織物を断面して内部構造を表した側面視説明図である。
【００８６】
なお、実施例１と同一または同等箇所には同一の符号を付して示している。また、実施例１で説明した箇所については、説明を省略し、主に相異点を説明する。
【００８７】
図６に示す藺草敷物である縁なし畳Ａ２は、平面視で矩形状に形成されている。縁なし畳Ａ２は、図７に示すように、通気性を有している板状基体４５と、板状基体４５の底面側の通気性を損なわないように、少なくとも板状基体４５の表面側を覆うようにして設けられた藺草敷物構成シート４６を有している。
【００８８】
図７に示すように、藺草敷物構成シート４６は、裁断端部４３１を有する藺草織物４６１と、藺草織物４６１の表面全体に被覆させてある熱可塑性樹脂からなる透視性を有する被覆フィルム４６２を有している。藺草敷物構成シート４６は、接着によって藺草織物４６１の裏側側が板状基体４５に取り付けてある。藺草敷物構成シート４６は、板状基体４５の表面部４５１と側面部４５２の全周を覆うようにして、外周縁部分４６３を板状基体４５の底面側に折り曲げて設けてある。なお、藺草敷物構成シート４６は、藺草織物４６１を裁断した後の裁断端部４３１の処理構造を有する藺草織物構造体を構成する。
【００８９】
板状基体４５の底面側には、藺草敷物構成シート４６の外周縁部分を覆うようにして、通気性を有する基体シート４７が接着により取り付けてある。本実施例では、板状基体４５としてフェルトを使用し、基体シート４７として不織布を使用している。
【００９０】
板状基体４５は、通気性を有しているものであれば、フェルトに限定するものではなく、連続気泡の多孔性材料（例えばポリウレタンフォーム）や、その他の公知の材料を採用することができる。基体シート４７も同様に、通気性を有しているものであれば、布製品（織布や編布等）やその他の公知の材料で形成することができる。
【００９１】
上記した藺草敷物構成シート４６は、図４(ａ)に示した同じ真空吸引被覆装置Ｂを使用して形成することができる。図４(ａ)を参照する。
即ち、被覆対象である所要の大きさに裁断した藺草織物４６１を吸引チャンバ６に置く前に、スプレーガン等を使用して藺草織物４６１の表面全体に、液状の接着剤を均一に塗布する。
【００９２】
その後、藺草織物４６１の表面が上に向くように、吸引チャンバ６の吸引載置面６１に直接的に藺草織物４６１を載置する。そして、藺草敷物Ａ１の表面全体に被覆フィルム４６２を被せる。この際、被覆フィルム４６２が藺草織物４６１よりも外側へはみ出すように被せる。なお、本実施例では、実施例１で使用した成形治具は使用しない。
【００９３】
その後は実施例１と同様に、図４(ａ)に示す昇降チャンバ５において、ヒーター５６で昇降チャンバ５のゴム状弾性膜５３を加熱しつつ、ゴム状弾性膜５３で区画された空間部５４に流入した空気を加熱する。
【００９４】
次に、昇降チャンバ５を降下させ、ゴム状弾性膜５３によって藺草積層体４００と被覆フィルム４６２を所定の圧力で押圧すると共に、吸引チャンバ６に接続された真空吸引装置（図示省略）を操作して真空吸引を行う。これにより、被覆フィルム４６２は延伸して藺草織物４６１表面の凹凸形状に沿って密着する。
【００９５】
この吸引終了後、昇降チャンバ５を上昇させ、被覆フィルム４６２が積層された藺草織物４６１を取り出す。後は、目的とする縁なし畳Ａ２の大きさに合わせて裁断し、目的とする藺草敷物構成シート４６を得る。
【００９６】
（作  用）
本実施例に係る縁なし畳Ａ２は、次のように作用する。
図６で示した縁なし畳Ａ２では、藺草敷物として被覆フィルム４６２が表面に被覆された藺草敷物構成シート４６を使用している。よって、縁なし畳Ａ２の四隅部分（図６で丸Ｃで囲んだ分）に藺草織物４６１の裁断端部４３１が位置しても、その裁断端部４３１から藺草が解れたり、裁断端部４３１から露出した藺草の繊維が擦れるようなことはない。
したがって、長年使用して部屋等に敷いた縁なし畳Ａ２が互いに擦れ合っても、この四隅部分の裁断端部４３１が擦れて、ここから藺草織物４６１が破損することを防止できる。
【００９７】
また、藺草の茎が折れるような方向に藺草織物４６１を折り曲げて縁なし畳Ａ２の表面側の端辺部４８（図６参照）が形成されていても、被覆フィルム４６２で端辺部４８の表面が被覆されているので、端辺部４８の強度が増し、藺草の繊維が破断しにくい。
【００９８】
更に、藺草敷物構成シート４６は、通気性を有する板状基体４５の底面側の通気性を損なわないように設けてある。よって、縁なし畳Ａ２の底部側からは、通気性を有する基体シート４７と板状基体４５を通して、表面側の藺草の香りが外部に漂う。したがって、通常の畳と同様に藺草の香りを楽しむことができる。
【００９９】
なお、天然の藺草を模して作った合成樹脂製の模造藺草が提案されている。この模造藺草を織成したものは耐水性を有するが、素材が合成樹脂であるため藺草の香りはしない。
これに対し、本実施例では耐水性を有すると共に、藺草の香りも楽しむことができるものなのである。
【０１００】
また、その他の構成及び作用・効果は、既に説明した実施例１と同じか大体において同じであるため、説明を省略する。
【０１０１】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０１０２】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１０３】
【図１】本発明に係る藺草織物を使用した敷物の第一の実施例を示す斜視説明図。
【図２】図１のI−I部分に対応する断面の一部（図１で左端側）を示す藺草織物の部分拡大断面説明図。
【図３】図１に示す藺草敷物を構成する藺草敷物構成体を示す拡大斜視説明図。
【図４】真空吸引被覆装置を用いて、被覆フィルムを藺草積層体に被覆している状態を示す側面視説明図。
【図５】吸引チャンバを図４(ａ)のII−II矢視方向から見たものに対応する平面視概略説明図。
【図６】本発明に係る藺草織物を使用した敷物の第二の実施例を示す斜視説明図。
【図７】藺草織物を断面して内部構造を表した側面視説明図。
【図８】本願発明者が開発に着手したカーペットタイプの新しい藺草敷物の概略を示す部分拡大斜視説明図。
【図９】裁断端部を縁布で覆った場合の藺草敷物の概略を示す部分拡大斜視説明図。
【図１０】裁断端部を含む藺草織物の幅方向の両端側をそれぞれ平板の底面側まで折り返した場合の藺草敷物の概略を示す部分拡大斜視説明図。
【符号の説明】
【０１０４】
Ａ１ 藺草敷物
Ａ２ 縁なし畳
Ｂ 真空吸引被覆装置
１ シート体
２ 藺草敷物構成体
３ 縁部材
４ 被覆フィルム
５ 昇降チャンバ
６ 吸引チャンバ
２１ 底面部
２２ 側面部
２３，２４ 面取り部
４１ 板状基体
４２ クッション材
４３ 藺草織物
４５ 板状基体
４６ ヒーター
４６ 藺草敷物構成シート
４７ 基体シート
４８ 端辺部
５１ ピストンロッド
５２ 昇降チャンバ本体
５３ ゴム状弾性膜
５４ 空間部
５５ 空気流通部
５６ ヒーター
６０ 空間部
６１ 吸引載置面
６２ 空気吸引部
７１ 載置具
７２ フレーム
２３０ 凹み
４００ 藺草積層体
４１１ 側面部
４３１ 裁断端部
４５１ 表面部
４５２ 側面部
４６１ 藺草織物
４６２ 被覆フィルム
４６３ 外周縁部分
５２１ 開口部
【図１】
2007236916.tif 000003
【図２】
2007236916.tif 000004
【図３】
2007236916.tif 000005
【図４】
2007236916.tif 000006
【図５】
2007236916.tif 000007
【図６】
2007236916.tif 000008
【図７】
2007236916.tif 000009
【図８】
2007236916.tif 000010
【図９】
2007236916.tif 000011
【図１０】
2007236916.tif 000012